(57)【要約】【課題】入力ミスや修正ミスなどの人為的なミスを低減することを実現したＣＡＤシステムを提供する。【解決手段】属性ファイル読み込みモジュール１０３は、属性名を定義する属性情報を属性ファイル２０１から読み込み、属性テーブル１０４に格納する。属性データ編集モジュール１０５は、属性名と対応づけられるテキストを編集する。テキスト入力モジュール１０１は、ＣＡＤデータ上にテキストを入力する際、属性名を選択肢として一覧表示する属性データ一覧表示モジュール１０１ａを有し、属性名が選択されると、対応するテキストのＣＡＤデータ上への配置をテキスト配置モジュール１０２に依頼する。属性データ編集モジュール１０５は、属性テーブル１０４のテキストの編集時、その旨をテキスト配置モジュール１０２に通知し、テキスト配置モジュール１０２は、配置済みの編集前のテキストを編集後のテキストに一括して置き換える。【選択図】      図２
2006338154.tif 000002
【特許請求の範囲】
【請求項１】
複数のレイヤを積層して構成されるプリント回路基板を設計するためのＣＡＤシステムにおいて、
属性名となる第１の文字列と入力テキストとなる第２の文字列とを対応づける属性テーブルを管理する属性テーブル管理手段と、
任意の文字列を属性名として定義する属性情報を属性ファイルから読み出し、当該属性情報で定義された任意の文字列を第１の文字列として前記属性テーブルに格納する属性ファイル読み出し手段と、
前記第1の文字列と対応づけられる前記属性テーブル上の前記第２の文字列を編集する属性編集手段と、
前記属性テーブルに格納された前記第１の文字列すべてを属性一覧として一覧表示する属性一覧表示手段と、
前記属性一覧表示手段により一覧表示された中から選択された前記第１の文字列と対応づけられる前記第２の文字列を前記属性テーブルから取得し、当該第２の文字列を設計作業中の状態にあるレイヤ上の入力対象領域に配置するテキスト配置手段と、
を具備することを特徴とするＣＡＤシステム。
【請求項２】
前記テキスト配置手段は、前記第１の文字列と対応づけられる前記属性テーブル上の前記第２の文字列が前記属性編集手段によって編集された場合に、配置済みの編集前の第２の文字列すべてを編集後の第２の文字列に一括して置き換える手段を有することを特徴とする請求項１記載のＣＡＤシステム。
【請求項３】
前記属性編集手段は、前記属性テーブルによる前記第１の文字列と前記第２の文字列との対応づけを付帯情報としてＣＡＤデータに付帯させる手段を有することを特徴とする請求項２記載のＣＡＤシステム。
【請求項４】
複数のレイヤを積層して構成されるプリント回路基板を設計するためのＣＡＤシステムとしてコンピュータを動作させるためのプログラムであって、
前記コンピュータを、
属性名となる第１の文字列と入力テキストとなる第２の文字列とを対応づける属性テーブルを管理する属性テーブル管理手段、
任意の文字列を属性名として定義する属性情報を属性ファイルから読み出し、当該属性情報で定義された任意の文字列を第１の文字列として前記属性テーブルに格納する属性ファイル読み出し手段、
前記第1の文字列と対応づけられる前記属性テーブル上の前記第２の文字列を編集する属性編集手段、
前記属性テーブルに格納された前記第１の文字列すべてを属性一覧として一覧表示する属性一覧表示手段、
前記属性一覧表示手段により一覧表示された中から選択された前記第１の文字列と対応づけられる前記第２の文字列を前記属性テーブルから取得し、当該第２の文字列を設計作業中の状態にあるレイヤ上の入力対象領域に配置するテキスト配置手段、
として機能させるためのプログラム。
【請求項５】
前記テキスト配置手段は、前記第１の文字列と対応づけられる前記属性テーブル上の前記第２の文字列が前記属性編集手段によって編集された場合に、配置済みの編集前の第２の文字列すべてを編集後の第２の文字列に一括して置き換える手段を有することを特徴とする請求項４記載のプログラム。
【請求項６】
前記属性編集手段は、前記属性テーブルによる前記第１の文字列と前記第２の文字列との対応づけを付帯情報としてＣＡＤデータに付帯させる手段を有することを特徴とする請求項４記載のプログラム。
【請求項７】
複数のレイヤを積層して構成されるプリント回路基板を設計するためのＣＡＤシステムに適用されるテキスト入力支援方法であって、
任意の文字列を属性名として定義する属性情報を属性ファイルから読み出し、当該属性情報で定義された任意の文字列を第１の文字列として属性テーブルによって管理するステップと、
前記第1の文字列と前記属性テーブル上で対応づけられる第２の文字列を編集するステップと、
前記属性テーブルに格納された前記第１の文字列すべてを属性一覧として一覧表示するステップと、
前記一覧表示した中から選択された前記第１の文字列と対応づけられる前記第２の文字列を前記属性テーブルから取得し、当該第２の文字列を設計作業中の状態にあるレイヤ上の入力対象領域に配置するステップと、
を具備することを特徴とするテキスト入力支援方法。
【請求項８】
前記第１の文字列と対応づけられる前記属性テーブル上の前記第２の文字列が編集された場合に、配置済みの編集前の第２の文字列すべてを編集後の第２の文字列に一括して置き換えるステップをさらに具備することを特徴とする請求項７記載のテキスト入力支援方法。
【請求項９】
前記属性テーブルによる前記第１の文字列と前記第２の文字列との対応づけを付帯情報としてＣＡＤデータに付帯させるステップをさらに具備することを特徴とする請求項７記載のＣＡＤシステム。
【発明の詳細な説明】
【技術分野】
【０００１】
この発明は、プリント回路基板（ＰＣＢ：printed-circuit board）用のＣＡＤシステムに適用して好適なテキスト入力支援技術に関する。
【背景技術】
【０００２】
近年の半導体製造技術の向上は目覚ましく、プリント回路基板の多層化や大規模化が進んでいる。また、このような状況に対応するため、プリント回路基板の設計作業をより効率的に行うための提案も種々なされている（例えば特許文献１等参照）。
【特許文献１】特開２００２−３２４１５号公報
【発明の開示】
【発明が解決しようとする課題】
【０００３】
ところで、従来の技術では、テキスト入力に関しては、各レイヤ毎に入力する文字をその都度入力する方法しかなかった。そのため、例えば複数のレイヤに同じテキストを入力する場合でも、その入力作業は個別に行われていた。
【０００４】
このように個別に入力を行うと、入力ミスを発生させるおそれも高くなり、また、そのテキストを修正しなければならない場合には、それぞれに修正作業を要するので、修正ミスを誘発し易く、作業工数もかかってしまうという問題がある。
【０００５】
この発明は、このような事情を考慮してなされたものであり、入力ミスや修正ミスなどの人為的なミスを低減することを実現したＣＡＤシステム、プログラムおよびテキスト入力支援方法を提供することを目的とする。
【課題を解決するための手段】
【０００６】
前述した目的を達成するために、この発明は、複数のレイヤを積層して構成されるプリント回路基板を設計するためのＣＡＤシステムにおいて、属性名となる第１の文字列と入力テキストとなる第２の文字列とを対応づけるための属性テーブルを管理する属性テーブル管理手段と、任意の文字列を属性名として定義する属性情報を属性ファイルから読み出し、当該属性情報で定義された任意の文字列を第１の文字列として前記属性テーブルに格納する属性ファイル読み出し手段と、前記第1の文字列と対応づけられる前記属性テーブル上の前記第２の文字列を編集する属性編集手段と、前記属性テーブルに格納された前記第１の文字列すべてを属性一覧として一覧表示する属性一覧表示手段と、前記属性一覧表示手段により一覧表示された中から選択された前記第１の文字列と対応づけられる前記第２の文字列を前記属性テーブルから取得し、当該第２の文字列を設計作業中の状態にあるレイヤ上の入力対象領域に配置するテキスト配置手段とを具備することを特徴とする。
【０００７】
また、この発明は、複数のレイヤを積層して構成されるプリント回路基板を設計するためのＣＡＤシステムとしてコンピュータを動作させるためのプログラムであって、前記コンピュータを、属性名となる第１の文字列と入力テキストとなる第２の文字列とを対応づける属性テーブルを管理する属性テーブル管理手段、任意の文字列を属性名として定義する属性情報を属性ファイルから読み出し、当該属性情報で定義された任意の文字列を第１の文字列として前記属性テーブルに格納する属性ファイル読み出し手段、前記第1の文字列と対応づけられる前記属性テーブル上の前記第２の文字列を編集する属性編集手段、前記属性テーブルに格納された前記第１の文字列すべてを属性一覧として一覧表示する属性一覧表示手段、前記属性一覧表示手段により一覧表示された中から選択された前記第１の文字列と対応づけられる前記第２の文字列を前記属性テーブルから取得し、当該第２の文字列を設計作業中の状態にあるレイヤ上の入力対象領域に配置するテキスト配置手段として機能させることを特徴とする。
【０００８】
また、この発明は、複数のレイヤを積層して構成されるプリント回路基板を設計するためのＣＡＤシステムに適用されるテキスト入力支援方法であって、任意の文字列を属性名として定義する属性情報を属性ファイルから読み出し、当該属性情報で定義された任意の文字列を第１の文字列として属性テーブルによって管理するステップと、前記第1の文字列と前記属性テーブル上で対応づけられる第２の文字列を編集するステップと、前記属性テーブルに格納された前記第１の文字列すべてを属性一覧として一覧表示するステップと、前記一覧表示した中から選択された前記第１の文字列と対応づけられる前記第２の文字列を前記属性テーブルから取得し、当該第２の文字列を設計作業中の状態にあるレイヤ上の入力対象領域に配置するステップとを具備することを特徴とする。
【発明の効果】
【０００９】
この発明によれば、入力ミスや修正ミスなどの人為的なミスを低減することを実現したＣＡＤシステム、プログラムおよびテキスト入力支援方法を提供できる。
【発明を実施するための最良の形態】
【００１０】
以下、図面を参照してこの発明の実施形態について説明する。図１は、この発明の実施形態に係るＣＡＤシステムの機器構成を示す図である。
【００１１】
本実施形態のＣＡＤシステム１０は、例えばデスクトップタイプやノートブックタイプなどのパーソナルコンピュータにより実現されており、ＣＰＵ１、メモリ２、ＨＤＤ（hard disk drive）３、ＯＤＤ（optical disk drive）４、キーボードコントローラ５、表示コントローラ６およびネットワークコントローラを有している。
【００１２】
ＣＰＵ１は、このコンピュータ全体の制御を司り、メモリ２に格納された各種プログラムを実行制御する。メモリ２は、このコンピュータの主記憶となる記憶媒体であり、ＣＰＵ１によって実行制御される各種プログラムやこれらのプログラムに用いられる各種データを格納する。一方、ＨＤＤ３およびＯＤＤ４は、このコンピュータの外部記憶となる記憶媒体であり、メモリ２の補助装置として、各種プログラムおよび各種データを大量に格納する。
【００１３】
また、キーボードコントローラ５は、このコンピュータが提供するユーザインタフェースのインプット側を司り、キーボードやマウス等の操作データを入力する。一方、表示コントローラ６は、このコンピュータが提供するユーザインタフェースのアウトプット側を司り、各種プログラムの表示データをＬＣＤ等に表示制御する。ネットワークコントローラ７は、例えばＬＡＮ（local area network）やインターネット等のネットワーク経由でデータを送受信するための通信制御を実行する。
【００１４】
そして、ＣＡＤプログラム１００は、パーソナルコンピュータを本実施形態のＣＡＤシステム１０として動作させるためのプログラムであり、ＨＤＤ３からメモリ２にロードされてＣＰＵ１により実行制御され、キーボードコントローラ５経由でユーザの操作を受け付けると共に、表示コントローラ６経由でユーザに対する情報提示を行う。
【００１５】
図２は、このＣＡＤプログラム１００のモジュール構成を示す図である。図２に示すように、ＣＡＤプログラム１００は、テキスト入力モジュール１０１、テキスト配置モジュール１０２、属性ファイル読み込みモジュール１０３、属性テーブル１０４および属性データ編集モジュール１０５を有している。
【００１６】
ＣＡＤプログラム１００は、起動すると、属性ファイル読み込みモジュール１０３による属性ファイル２０１の読み込みを実行する。属性ファイル２０１は、属性名となる文字列を定義する属性情報を格納しており、属性ファイル読み込みモジュール１０３は、この属性情報を読み込むと、その属性情報で定義される属性名を属性テーブル１０４に格納する。属性ファイル２０１の読み出しは、ＨＤＤ３から行っても良いし、ネットワークコントローラ７によりネットワーク経由で行っても良い。また、属性テーブル１０４は、この属性ファイル２０１から読み込まれた属性名に任意のテキストを対応づけるためのテーブルであり、この属性テーブル１０４上のテキストは、属性データ編集モジュール１０５によって入力・変更・削除等の編集を施すことができる。
【００１７】
テキスト入力モジュール１０１は、設計作業中のプリント回路基板の任意のレイヤ上に任意のテキストを入力するためのものであり、属性データ一覧表示モジュール１０１ａを有している。属性データ一覧表示モジュール１０１ａは、テキスト入力時に所定の操作が行われた際に起動され、属性テーブル１０４に格納された属性名を一覧表示する。
【００１８】
この一覧表示された属性名の中からいずれかの属性名が選択されると、属性データ一覧表示モジュール１０１ａは、その属性名と、当該属性名と対応づけられたテキストとをテキスト配置モジュール１０２に引き渡す。テキスト配置モジュール１０２は、その受け取った情報をＣＡＤデータの該当箇所に配置する。
【００１９】
つまり、本実施形態のＣＡＤシステムでは、ユーザは、プリント回路基板の設計作業において、各レイヤに直接テキストを入力することに加えて、予め設定された属性名を選択することによってもテキストを入力することができる。
【００２０】
また、属性データ編集モジュール１０５は、属性テーブル１０４上で属性名と対応づけられているテキストの編集が行われると、その旨をテキスト配置モジュール１０２に通知する。一方、この通知を受けたテキスト配置モジュール１０２は、その属性名によって配置済みのＣＡＤシステム内のテキストすべての更新を一括して実行する。プリント回路基板の設計データであるＣＡＤデータは、ＣＡＤファイル２０２に格納され、属性データ編集モジュール１０５は、このように編集が施される属性テーブル１０４の内容を属性パラメータとしてＣＡＤファイル２０２に格納する。このＣＡＤファイル２０２も、属性ファイル２０１と同様、ＨＤＤ３に存在しても良いし、ネットワーク経由の遠隔地に存在しても良い。
【００２１】
つまり、本実施形態のＣＡＤシステムでは、例えば複数のレイヤに同一のテキストを入力した後に、そのテキストを修正しなければならなくなった場合であっても、そのテキストを属性名の選択により入力しておけば、この属性名と対応づけられたテキストを編集するだけで、複数のレイヤのテキストを一括して置き換えることが可能となる。
【００２２】
図３は、本実施形態のＣＡＤシステム１０を用いて設計するプリント回線基板の一例を示す図である。図３に示したプリント回線基板は、Ｌ１〜Ｌ４の４つのレイヤを積層して構成されるものである。また、各レイヤには、「ＡＢＣ」、「ＸＹＺ」のテキストがそれぞれ入力されるものとする。このような場合に、従来では、各レイヤ毎に「ＡＢＣ」および「ＸＹＺ」をその都度テキスト入力していたために、入力ミスも発生させ易く、例えば「ＡＢＣ」を「ＤＥＦ」に修正しなければならなくなった場合、この修正に個別に対応しなければならなかった。これに対して、本実施形態のＣＡＤシステムでは、属性という概念を取り入れたことにより、これらの作業の効率化を実現する。
【００２３】
図４は、属性ファイル２０１が格納する属性情報の一例を示す図である。図４に示すように、属性情報はテキストデータで構成され、ＴＥＸＴ｛｝の記述毎に１つの属性が定義される。ここでは、「ＮＡＭＥ＿１」、「ＮＡＭＥ＿２」といった属性名がＮＡＭＥ欄によって定義されている。また、ＰＲＯＭＰＴ欄は、テキスト入力時にこれらの属性を一覧表示する際に識別子として提示する文字列が記述される（「Ａ１」，「Ａ２」）。
【００２４】
また、図５は、属性データ編集モジュール１０５が表示する編集画面を示す図である。図５に示すように、属性データ編集モジュール１０５は、属性名と対応づけるテキストの入力フィールドを各々設けた編集画面を提示し、この入力フィールドに入力されたテキストを属性テーブルに格納する。
【００２５】
ここでは、「ＮＡＭＥ＿１」の入力フィールドには「ＡＢＣ」、「ＮＡＭＥ＿２」の入力フィールドには「ＸＹＺ」が入力されている。従って、図３に示したプリント回線基板の設計作業において、各レイヤで「ＡＢＣ」や「ＸＹＺ」を入力する際、これらの属性の識別子（Ａ１，Ａ２）を一覧から選択させることで、入力ミスをなくすことができ、例えば「ＡＢＣ」を「ＤＥＦ」に修正する場合には、図５に示す編集画面で当該修正を行うのみで一括した置き換えが可能となる。
【００２６】
次に、図６乃至図１３を参照しながら、本実施形態のＣＡＤシステムによるテキスト入力の作業手順の一例を説明する。
【００２７】
いま、図６に示すような配線をいずれかのレイヤで設計中であり、かつ、領域ａに他のレイヤでも入力される定型のテキストを入力しようとしているものと想定する。このような場合、ユーザは、キーボード上の所定のキーを押下して、図７に示すテキスト入力画面を表示させる。
【００２８】
このテキスト入力画面上で、ユーザは、フィールドｂに直接テキストを入力することも可能であり、また、例えばキーボード上の所定のキーを押下して、図８に示す属性一覧画面を表示させ、この画面上でいずれかの属性を選択することにより、この属性に対応づけられたテキストを入力することも可能である。
【００２９】
ここでは、図８に示す属性一覧画面を表示させ、かつ、この画面上で識別子ｃ、つまり「ｗｉｒ１」を選択したものとする。この「ｗｉｒ１」は、ある属性情報のＰＲＯＭＰＴ欄に記述された文字列であり、これと共にＴＥＸＴ｛｝内のＮＡＭＥ欄に属性名として記述された文字列と属性テーブル１０４上で「Ｓ４５１１９ＳＭＴ」という文字列が対応づけられているものとする。そうすると、図９に示すように、この「Ｓ４５１１９ＳＭＴ」というテキストが「ｗｉｒ１」という識別子で表される属性を選択することによって入力されることになる。そして、このように入力されたテキストは、図１０に示すようなフォーマットでＣＡＤデータ中に挿入される。図示のように、属性の識別子と、この属性の属性テーブル１０４上でのテキストとの組み合わせを示す情報が格納される（ｄ）。
【００３０】
また、この「Ｓ４５１１９ＳＭＴ」と入力したテキストを、「１２３４５」と修正する場合、ユーザは、例えばキーボード上の所定のキーを押下して、図１１に示す属性編集画面を表示させる。ここでは、ＰＲＯＭＰＴ欄に「ｗｉｒ１」と記述された属性のＮＡＭＥ欄にも同じく「ｗｉｒ１」と記述されているものと想定する。そして、ユーザは、この属性編集画面上の「ｗｉｒ１」の入力フィールド（ｅ）に記述されている「Ｓ４５１１９ＳＭＴ」を「１２３４５」と修正する。
【００３１】
この作業がなされると、図１２に示すように、ＣＡＤデータ中に挿入されている情報のテキストにその修正が反映され（ｆ）、その結果、図１３に示すように、各レイヤに配置されたテキストも置き換えられて表示されることになる。このテキストの置き換えは、他のレイヤに同じ属性が配置されていれば、それらも一括して行われることになる。
【００３２】
図１４乃至図１６は、本実施形態のＣＡＤシステム１０によるテキスト入力の動作手順を示すフローチャートである。
【００３３】
ＣＡＤシステム１０は、まず、その起動時に、属性ファイル２０１を読み込み（図１４ステップＡ１）、属性テーブル１０４にセットする（図１４ステップＡ２）。
【００３４】
また、テキスト入力時、属性データ一覧表示操作が行われると（図１５ステップＢ１のＹＥＳ）、属性テーブル１０４に格納された属性データを一覧表示し（図１５ステップＢ２）、いずれかの識別子の選択を受け付ける（図１５ステップＢ３）。そして、この選択された識別子に対応するテキストをＣＡＤデータに配置する（図１５ステップＢ４）。
【００３５】
一方、属性データ一覧表示操作が行われない場合には（図１５ステップＢ１のＮＯ）、直接的なテキスト入力を受け付け（図１５ステップＢ５）、この入力されたテキストをＣＡＤデータに配置する（図１５ステップＢ４）。
【００３６】
また、属性編集時には、まず、属性テーブル１０４を表示し（図１６ステップＣ１）、属性データの編集を受け付ける（図１６ステップＣ２）。そして、この編集の確定操作が行われたら（図１６ステップＣ３のＹＥＳ）、属性テーブル１０４を更新すると共に（図１６ステップＣ４）、ＣＡＤデータ内の属性データを検索し（図１６ステップＣ５）、この検出された属性データを更新する（図１６ステップＣ６）。
【００３７】
このように、本実施形態のＣＡＤシステム１０は、属性という概念を取り入れたことにより、入力ミスや修正ミスなどの人為的なミスを低減し、効率的なテキスト入力を可能とすることを実現する。
【００３８】
なお、前述の実施形態では、テキストを属性によって入力する場合を説明したが、これに限らず、本発明の手法は、例えばプリント回線基板用のＣＡＤデータ内のパターン、パッド、コメント等にも適用が可能である。
【００３９】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４０】
【図１】この発明の実施形態に係るＣＡＤシステムの機器構成を示す図
【図２】同実施形態のＣＡＤプログラムのモジュール構成を示す図
【図３】同実施形態のＣＡＤシステムを用いて設計するプリント回線基板の一例を示す図
【図４】同実施形態のＣＡＤシステムで使用される属性ファイルが格納する属性情報の一例を示す図
【図５】同実施形態のＣＡＤシステムが表示する編集画面を示す図
【図６】同実施形態のＣＡＤシステムによるテキスト入力の作業手順の一例を説明するための第１の図（設計中のレイヤの例示）
【図７】同実施形態のＣＡＤシステムによるテキスト入力の作業手順の一例を説明するための第２の図（テキスト入力画面の表示例）
【図８】同実施形態のＣＡＤシステムによるテキスト入力の作業手順の一例を説明するための第３の図（属性一覧画面の表示例）
【図９】同実施形態のＣＡＤシステムによるテキスト入力の作業手順の一例を説明するための第４の図（テキスト入力後のレイヤの例示）
【図１０】同実施形態のＣＡＤシステムによるテキスト入力の作業手順の一例を説明するための第５の図（ＣＡＤデータへのテキスト挿入例）
【図１１】同実施形態のＣＡＤシステムによるテキスト入力の作業手順の一例を説明するための第６の図（属性編集画面の表示例）
【図１２】同実施形態のＣＡＤシステムによるテキスト入力の作業手順の一例を説明するための第７の図（ＣＡＤデータ中のテキストへの編集反映例）
【図１３】同実施形態のＣＡＤシステムによるテキスト入力の作業手順の一例を説明するための第８の図（属性編集後のレイヤの例示）
【図１４】同実施形態のＣＡＤシステムによるテキスト入力の第１の動作手順を示すフローチャート
【図１５】同実施形態のＣＡＤシステムによるテキスト入力の第２の動作手順を示すフローチャート
【図１６】同実施形態のＣＡＤシステムによるテキスト入力の第３の動作手順を示すフローチャート
【符号の説明】
【００４１】
１…ＣＰＵ、２…メモリ、３…ＨＤＤ（hard disk drive）、４…ＯＤＤ（optical disk drive）、５…キーボードコントローラ、６…表示コントローラ、１０…ＣＡＤシステム、１００…ＣＡＤプログラム、１０１…テキスト入力モジュール、１０２…テキスト配置モジュール、１０３…属性ファイル読み込みモジュール、１０４…属性テーブル、１０５…属性データ編集モジュール、２０１…属性ファイル、２０２…ＣＡＤファイル。
【図１】
2006338154.tif 000003
【図２】
2006338154.tif 000004
【図３】
2006338154.tif 000005
【図４】
2006338154.tif 000006
【図５】
2006338154.tif 000007
【図６】
2006338154.tif 000008
【図７】
2006338154.tif 000009
【図８】
2006338154.tif 000010
【図９】
2006338154.tif 000011
【図１０】
2006338154.tif 000012
【図１１】
2006338154.tif 000013
【図１２】
2006338154.tif 000014
【図１３】
2006338154.tif 000015
【図１４】
2006338154.tif 000016
【図１５】
2006338154.tif 000017
【図１６】
2006338154.tif 000018